(57)【特許請求の範囲】
【請求項１】
パネル工法で構築される建物本体の凹部に設けられ、この建物本体から張り出すバルコニー床を支持してなるバルコニー床の支持構造であって、
前記建物本体は、この建物本体の角部に設けられ、互いに直交する外壁によって平面視Ｌ字状に形成された前記凹部と、この凹部を介して互いに直交する方向に沿って配置される第１外壁および第２外壁とを備えており、
平面視において、前記第１外壁の延長線と、前記第２外壁の延長線とが交差する位置の地面には、前記バルコニー床の自重を支えるための支持柱が立設されており、
この支持柱の上端部と前記凹部を形成する外壁との間には、前記第１外壁の延長線に沿って第１マグサが架設されるとともに、前記第２外壁の延長線に沿って第２マグサが架設されており、
前記凹部を形成する外壁は、下階側外壁と上階側外壁とを備えており、
前記バルコニー床は、前記下階側外壁の上面と、前記第１および第２マグサの上面とに架け渡されるようにして載置されており、
このバルコニー床の上面の室内側縁部に沿って上階床の端部が載置され、この上階床の上面の室外側縁部に沿って前記上階側外壁が立設されており、
前記支持柱の上端部には、前記バルコニー床と、前記第１および第２マグサのうちの少なくとも一方とを貫通するとともに、先端が前記バルコニー床の上面から突出するようにして連結ボルトが設けられており、この連結ボルトの先端にはナットが螺合されており、
前記バルコニー床は、複数の床パネルを幅方向に連続させて形成されてなり、
当該バルコニー床には、前記連結ボルトを挿通させるための貫通孔が予め形成されていることを特徴とするバルコニー床の支持構造。
【請求項２】
請求項１に記載のバルコニー床の支持構造において、
前記バルコニー床は、前記第１マグサの位置よりも外側に張り出すとともに、前記第２マグサの位置よりも外側に張り出しており、
前記第１および第２マグサのうち、少なくとも一方は、前記バルコニー床の張出方向先端の位置まで突出していることを特徴とするバルコニー床の支持構造。
【請求項３】
請求項１または２に記載のバルコニー床の支持構造において、
前記支持柱の柱脚部は、地面から突出して設けられたアンカーボルトに固定されていることを特徴とするバルコニー床の支持構造。
【発明の詳細な説明】
【技術分野】
【０００１】
本発明は、建物本体の凹部に設けられ、この建物本体から張り出すバルコニー床を支持してなるバルコニー床の支持構造に関する。
【背景技術】
【０００２】
住宅等の建物に、外壁から張り出すようなバルコニーを形成する際に、床パネルをその幅方向に複数敷設するとともに、自身の端部を下階の外壁の外側より突出させ、この突出部分をバルコニーとするような技術が知られている（例えば、特許文献１参照）。
このような自身の端部を下階の外壁の外側より突出させたバルコニーの場合、室内の床面とバルコニーの床面とが同一高さとなるため、室内と室外との間に凸状に形成された跨ぎ段差が設けられる場合がある（例えば、特許文献２参照）。
【特許文献１】特開２００４−１９０２９２号公報
【特許文献２】特開２０００−１４４９９７号公報
【発明の開示】
【発明が解決しようとする課題】
【０００３】
ところで、上述のような跨ぎ段差は、単に段違いに形成された単純段差に比して、段差を通過する際の動作が大きくなるため、近年、バリアフリーの観点から跨ぎ段差をなくしたいという要望があった。そこで、床パネルの端部を下階の外壁の外側よりも突出させてバルコニーを形成するような技術を採用せずに、室内の床とバルコニー床とを別々に設置し、バルコニー床の設置高さを室内の床よりも低くするなどして跨ぎ段差をなくすような技術が試みられている。
ところが、このように室内の床とバルコニー床とを別々に設置するとなると、バルコニー床は、建物本体の外壁面から室外側に張り出すようにして設けなければならないので、バルコニー床上に人が乗っても十分に耐えられるように、バルコニー床を確実かつ安定的に支持できるような技術の開発が望まれていた。
【０００４】
本発明の課題は、バルコニー床を確実かつ安定的に支持することが可能なバルコニー床の支持構造を提供することを目的とする。
【課題を解決するための手段】
【０００５】
請求項１に記載の発明は、例えば図１〜図４に示すように、パネル工法で構築される建物本体１の凹部１ａに設けられ、この建物本体１から張り出すバルコニー床３を支持してなるバルコニー床３の支持構造であって、
前記建物本体１は、この建物本体１の角部に設けられ、互いに直交する外壁によって平面視Ｌ字状に形成された前記凹部１ａと、この凹部１ａを介して互いに直交する方向に沿って配置される第１外壁１ｂおよび第２外壁１ｃとを備えており、
平面視において、前記第１外壁１ｂの延長線と、前記第２外壁１ｃの延長線とが交差する位置の地面４ａには、前記バルコニー床３の自重を支えるための支持柱４が立設されており、
この支持柱４の上端部と前記凹部１ａを形成する外壁との間には、前記第１外壁１ｂの延長線に沿って第１マグサ５が架設されるとともに、前記第２外壁１ｃの延長線に沿って第２マグサ６が架設されており、
前記凹部１ａを形成する外壁は、下階側外壁１０と上階側外壁１１とを備えており、
前記バルコニー床３は、前記下階側外壁１０の上面と、前記第１および第２マグサ５，６の上面とに架け渡されるようにして載置されており、
このバルコニー床３の上面の室内側縁部に沿って上階床１３の端部が載置され、この上階床１３の上面の室外側縁部に沿って前記上階側外壁１１が立設されており、
前記支持柱４の上端部には、前記バルコニー床３と、前記第１および第２マグサ５，６のうちの少なくとも一方とを貫通するとともに、先端が前記バルコニー床３の上面から突出するようにして連結ボルト７が設けられており、この連結ボルト７の先端にはナット７ａが螺合されており、
前記バルコニー床３は、複数の床パネルを幅方向に連続させて形成されてなり、
当該バルコニー床３には、前記連結ボルト７を挿通させるための貫通孔が予め形成されていることを特徴とする。
【０００６】
請求項１に記載の発明によれば、前記支持柱４の上端部と前記凹部１ａを形成する外壁との間に、前記第１外壁１ｂの延長線に沿って第１マグサ５が架設されるとともに、前記第２外壁１ｃの延長線に沿って第２マグサ６が架設されているので、これら第１および第２マグサ５，６は、前記支持柱４によって確実に支持されることとなる。
また、このように前記支持柱４によって支持された第１および第２マグサ５，６は、前記第１外壁１ｂの延長線と、前記第２外壁１ｃの延長線に沿って設けられているので、互いに直交する方向に沿って延在することとなる。そして、このような第１および第２マグサ５，６上に、前記バルコニー床３が載置されているので、例えば単に支持柱４だけでバルコニー床３を支持した場合に比して、前記バルコニー床３を安定的に支持することが可能となる。
そして、このように建物本体１から張り出すバルコニー床３を、前記支持柱４と、前記第１および第２マグサ５，６とによって確実かつ安定的に支持することができることから、前記バルコニー床３の設置高さを室内の床よりも低くして、室内とバルコニーとの間の段差を単純段差とすることができるので、従来とは異なり、跨ぎ段差を設ける必要がなく、バリアフリーの観点から、安全性の向上を図ることができる。
また、前記バルコニー床３は、前記下階側外壁１０の上面と、前記第１および第２マグサ５，６の上面とに架け渡されるようにして載置されているので、前記バルコニー床３を、前記下階側外壁１０と前記支持柱４とによって、より確実に支持できるとともに、前記下階側外壁１０と前記第１および第２マグサ５，６とによって、より一層安定的に支持することができる。
また、前記バルコニー床３の上面の室内側縁部に沿って上階床１３の端部が載置され、この上階床１３の上面の室外側縁部に沿って前記上階側外壁１１が立設されているので、前記バルコニー床３に対して床面が一段高くなるように設定された部屋をバルコニーに面して配置できることとなる。これによって、従来とは異なり、室内とバルコニーとの間に跨ぎ段差を設ける必要がなくなるので、バリアフリーの観点から、安全性の向上を図ることができる。
さらに、前記支持柱４の上端部には、前記バルコニー床３と、前記第１および第２マグサ５，６のうちの少なくとも一方とを貫通するとともに、先端が前記バルコニー床３の上面から突出するようにして連結ボルト７が設けられており、この連結ボルト７の先端にはナット７ａが螺合されているので、このナット７ａを締め付けることによって、前記バルコニー床３と、前記支持柱４と、前記第１および第２マグサ５，６のうちの少なくとも一方とを強固に連結することができる。
加えて、前記バルコニー床３には、前記連結ボルト７を挿通させるための貫通孔が、予め形成されていることが好ましい。このように貫通孔が予め形成されていれば、前記バルコニー床３を位置合わせしながら設置できるので作業性に優れる。
【０００７】
請求項２に記載の発明は、例えば図１〜図４に示すように、請求項１に記載のバルコニー床３の支持構造において、
前記バルコニー床３は、前記第１マグサ５の位置よりも外側に張り出すとともに、前記第２マグサ６の位置よりも外側に張り出しており、
前記第１および第２マグサ５，６のうち、少なくとも一方は、前記バルコニー床３の張出方向先端の位置まで突出していることを特徴とする。
【０００８】
請求項２に記載の発明によれば、前記バルコニー床３は、前記第１マグサ５の位置よりも外側に張り出すとともに、前記第２マグサ６の位置よりも外側に張り出しているので、バルコニー床３を、前記第１外壁１ｂおよび第２外壁１ｃの外壁面よりも室外側に突出させた広いものとすることができ、前記建物本体１の凹部１ａに大きなバルコニーを設置することができる。
また、前記第１および第２マグサ５，６のうち、少なくとも一方は、前記バルコニー床３の張出方向先端の位置まで突出しているので、これら第１および第２マグサ５，６のうちの少なくとも一方によって、前記第１外壁１ｂおよび第２外壁１ｃの外壁面よりも室外側に突出したバルコニー床３の突出部分を安定的に支持することができる。
【００１１】
請求項３に記載の発明は、例えば図２に示すように、請求項１または２に記載のバルコニー床３の支持構造において、
前記支持柱４の柱脚部は、地面４ａから突出して設けられたアンカーボルト４ｂに固定されていることを特徴とする。
【００１２】
請求項３に記載の発明によれば、前記支持柱４の柱脚部は、地面４ａから突出して設けられたアンカーボルト４ｂに固定されているので、この支持柱４の柱脚部を地面４ａに確実に固定することができ、前記支持柱４の立設状態を向上させることができる。したがって、この支持柱４によって、前記バルコニー床３を、さらに安定的に支持することが可能となる。
【発明の効果】
【００１５】
本発明によれば、建物本体の第１外壁の延長線と、第２外壁の延長線とが交差する位置の地面に立設された支持柱の上端部と、建物本体の凹部を形成する外壁との間に、第１外壁の延長線に沿って第１マグサが架設されるとともに、第２外壁の延長線に沿って第２マグサが架設されているので、これら第１および第２マグサは、前記支持柱によって確実に支持されることとなる。
また、このように支持柱によって支持された第１および第２マグサは、前記第１外壁の延長線および第２外壁の延長線に沿って設けられているので、互いに直交する方向に沿って延在することとなる。そして、このような第１および第２マグサ上に、バルコニー床が載置されているので、例えば単に支持柱だけでバルコニー床を支持した場合に比して、バルコニー床を安定的に支持することが可能となる。
そして、このように建物本体から張り出すバルコニー床を、前記支持柱と第１および第２マグサとによって確実かつ安定的に支持することができることから、バルコニー床の設置高さを室内の床よりも低くして、室内とバルコニーとの間の段差を単純段差とすることができるので、従来とは異なり、跨ぎ段差を設ける必要がなく、バリアフリーの観点から、安全性の向上を図ることができる。
【発明を実施するための最良の形態】
【００１６】
以下、図面を参照して本発明の実施の形態について説明する。
【００１７】
本実施の形態のバルコニー床３の支持構造は、図１〜図４に示すように、建物本体１の凹部１ａに設けられ、この建物本体１から張り出すバルコニー床３を支持してなるものであり、前記建物本体１は、この建物本体１の角部に設けられ、互いに直交する外壁によって平面視Ｌ字状に形成された前記凹部１ａと、この凹部１ａを介して互いに直交する方向に沿って配置される第１外壁１ｂおよび第２外壁１ｃとを備えており、平面視において、前記第１外壁１ｂの延長線と、前記第２外壁１ｃの延長線とが交差する位置の地面４ａには、前記バルコニー床３の自重を支えるための支持柱４が立設されており、この支持柱４の上端部と前記凹部１ａを形成する外壁との間には、前記第１外壁１ｂの延長線に沿って第１マグサ５が架設されるとともに、前記第２外壁１ｃの延長線に沿って第２マグサ６が架設されており、これら第１および第２マグサ５，６上に、前記バルコニー床３が載置されている。
【００１８】
ここで、本実施の形態の建物本体１は、壁や床、屋根といった建物の構成要素を予め工場にてパネル化しておき、施工現場でこれらのパネルを組み立てて構築するパネル工法で構築されている。このパネルとは、図示はしないが、縦横の枠材が矩形状に組み立てられるとともに、矩形枠の内部に補助桟材が縦横に組み付けられて枠体が構成され、この枠体の両面もしくは片面に、面材が貼設されたものであり、内部中空な構造となっている。さらに、その内部中空な部分には、通常、グラスウールやロックウール等の断熱材が装填されるものである。
【００１９】
なお、本実施の形態の建物本体１は、上述のようにパネル工法で構築されるとしたが、従来の軸組工法や壁式工法の木造、鉄骨造、鉄筋コンクリート造等の建物にも適用することができる。
【００２０】
そして、前記凹部１ａは、上述のように互いに直交する外壁によって平面視Ｌ字状に形成されているため、少なくとも２枚の外壁パネル同士を、直角の入隅部が形成されるように互いに直交させてなるものである。
【００２１】
なお、凹部１ａを形成するに際し、建物本体１が複数階にわたるものであれば、上下方向に複数枚の外壁パネルを連続させなければならない。また、平面視Ｌ字上に形成された凹部１ａの横方向の寸法が長ければ、その分の必要枚数分の外壁パネルが必要となるため、上述のように、少なくとも２枚の外壁パネルが必要となる。
【００２２】
また、本実施の形態の建物本体１は、下階および上階からなる２階建て住宅となっており、したがって、本実施の形態の凹部１ａを形成する外壁も、図２に示すように、下階側外壁１０と上階側外壁１１とを備えることとなる。すなわち、複数の下階側の外壁パネル同士と、複数の上階側の外壁パネル同士とが、互いに直交しながら上下に連続することによって、この凹部１ａを形成している状態となっている。
【００２３】
また、前記第１外壁１ｂおよび第２外壁１ｃは、図１に示すように、平面視において前記凹部１ａを介して、互いに直交する方向に沿って配置されている。そして、これら第１外壁１ｂおよび第２外壁１ｃは、前記凹部１ａを形成する外壁に対して、それぞれ直角の出隅部を形成するように直交して配置されている。
【００２４】
さらに、前記建物本体１は、前記凹部１ａと、前記第１および第２外壁１ｂ，１ｃとの他に、前記第１外壁１ｂに直交して隣接する第３外壁１ｄと、前記第２外壁１ｃに直交して隣接する第４外壁１ｅとを備えている。また、これら第３外壁１ｄと、第４外壁１ｅとは、互いに直交して隣接している。
そして、平面視略正方形の建物本体１の構築スペース（図示せず）内に、これら凹部１ａと、前記第１外壁１ｂと、前記第２外壁１ｃと、前記第３外壁１ｄと、前記第４外壁１ｅが設けられている。
【００２５】
一方、本実施の形態のバルコニー床３は、前記建物本体１と同じくパネル化されてなるものであり、図３に示すように、複数の床パネルを幅方向に連続させて形成されている。
【００２６】
また、前記支持柱４は、図２〜図４に示すように、金属製の強固な柱であり、前記凹部１ａの下階側外壁１０のサッシ窓１０ａと略等しい高さまで到達するよう長尺に形成されている。
【００２７】
さらに、この支持柱４の柱脚部は、図２に示すように、地面４ａから突出して設けられたアンカーボルト４ｂに固定されている。
なお、地面４ａは、コンクリートが打設されてなり、この地面４ａには所定深さの穴４ｄが設けられ、前記アンカーボルト４ｂは、前記穴４ｄの底面から突出するように設けられている。また、このアンカーボルト４ｂには前記支持柱４の柱脚部を受けて固定するための固定金具４ｃが接続されており、前記支持柱４は、この固定金具４ｃを介してアンカーボルト４ｂに固定されている。
【００２８】
そして、このように前記支持柱４の柱脚部は、地面４ａから突出して設けられたアンカーボルト４ｂに固定されているので、この支持柱４の柱脚部を地面４ａに確実に固定することができ、前記支持柱４の立設状態を向上させることができる。したがって、この支持柱４によって、前記バルコニー床３を安定的に支持することが可能となる。
【００２９】
また、図２〜図４に示すように、前記第１マグサ５は、前記支持柱４の上端部と前記凹部１ａを形成する外壁との間に、前記第１外壁１ｂの延長線に沿って架設されている。さらに、前記第２マグサ６は、前記支持柱４の上端部と前記凹部１ａを形成する外壁との間に、前記第２外壁１ｃの延長線に沿って架設されている。
【００３０】
これら第１マグサ５および第２マグサ６は、前記バルコニー床３の下面に当接し、このバルコニー床３を受けるための横材である。すなわち、これら横材である第１および第２マグサ５，６は、前記支持柱４とともに前記バルコニー床３を下方から支持し、例えば単に支持柱４だけでバルコニー床３を支持した場合に比して、バルコニー床３を安定的に支持する役割を持つ。
【００３１】
本実施の形態の第１マグサ５および第２マグサ６は、前記支持柱４と前記凹部１ａとの間に架設されるものであるが、詳細には、前記第１マグサ５が、前記支持柱４の上端部と前記凹部１ａを形成する外壁との間に架設されており、前記第２マグサ６は、前記支持柱４の上端部に位置する第１マグサ５の側面に取り付けられた支持金具６ａと、この支持金具６ａに対向するようにして前記凹部１ａを形成する外壁に取り付けられる支持金具６ａとに架設されている。
【００３２】
すなわち、前記第２マグサ６は、一対の支持金具６ａによって、前記支持柱４の上端部と前記凹部１ａを形成する外壁との間に架設されていることとなる。なお、この支持金具６ａが取り付けられる外壁とは、図２に示すように、前記下階側外壁１０のサッシ窓１０ａの上部に位置する小壁１０ｂを指している。
【００３３】
なお、本実施の形態においては、前記第１マグサ５のみが前記支持柱４の上端部に載せられているが、これに限るものではなく、この第１マグサ５に代わり第２マグサ６のみを前記支持柱４の上端部に載せるようにしてもよいし、これら第１および第２マグサ５，６どうしの交点に、互いに係合し合うサネや係合溝等を形成して、双方を重ね合わせるようにして支持柱４の上端部に載せるようにしてもよい。
【００３４】
以下、前記バルコニー床３と、このバルコニー床３の周囲の詳細な構成について説明する。
【００３５】
前記バルコニー床３は、図１〜図４に示すように、前記第１マグサ５の位置よりも外側に張り出すとともに、前記第２マグサ６の位置よりも外側に張り出している。つまり、このバルコニー床３は、前記第１マグサ５の位置よりも外側に張り出すとともに、前記第２マグサ６の位置よりも外側に張り出しているので、バルコニー床３を、前記第１外壁１ｂおよび第２外壁１ｃの外壁面よりも室外側に突出させた広いものとすることができ、前記建物本体１の凹部１ａに大きなバルコニーＢを設置できるようになっている。
【００３６】
また、このようにバルコニー床３が前記第１外壁１ｂおよび第２外壁１ｃの外壁面よりも室外側に突出させた広いものとすることができるので、前記第１および第２マグサ５，６のうち、少なくとも一方は、前記バルコニー床３の張出方向先端の位置まで突出している。本実施の形態においては前記第１マグサ５が、前記バルコニー床３の張出方向先端の位置まで突出している。
したがって、この第１マグサ５によって、前記第１外壁１ｂおよび第２外壁１ｃの外壁面よりも室外側に突出したバルコニー床３の突出部分を安定的に支持することができるようになっている。
【００３７】
また、前記バルコニー床３は、前記第１および第２マグサ５，６上に載置されているものであるが、より詳細には、これら第１および第２マグサ５，６だけでなく、図２に示すように、これら第１および第２マグサ５，６の上面と、前記下階側外壁１０の小壁１０ｂの上面とに架け渡すようにして載置されているものである。
これによって、前記バルコニー床３を、前記下階側外壁１０と前記支持柱４とによって確実に支持できるとともに、前記下階側外壁１０と前記第１および第２マグサ５，６とによって安定的に支持することができる。
【００３８】
このように本実施の形態のバルコニー床３は、前記第１および第２マグサ５，６の上面と、前記下階側外壁１０の小壁１０ｂの上面とに架け渡すようにして載置されていることから、建物本体１の上階部は、上階床１３の室外側の端部が、前記バルコニー床３の上面の室内側縁部に沿って載置されて固定され、前記上階側外壁１１が、この上階床１３の上面の室外側縁部に沿って立設されて構成されている。
なお、建物本体１の下階部分は、下階床１２の上面の室外側縁部に沿って前記下階側外壁１０が立設されて構成されている。
【００３９】
なお、前記バルコニー床３の上面の室内側縁部と、前記上階床１３の室外側の端部との間には、これら室内側縁部および端部に沿って、断面四角形状の長尺な調整材１４が載せられている。この調整材１４は、前記バルコニー床３の上面に床材３ｃ（後述する）を設置するための高さ調整として設けられるものである。
【００４０】
このように前記バルコニー床３の上面の室内側縁部に沿って上階床１３の端部が載置され、この上階床１３の上面の室外側縁部に沿って前記上階側外壁１１が立設されているので、前記バルコニー床３に対して床面が一段高くなるように設定された部屋をバルコニーＢに面して配置できる。
これによって、従来とは異なり、室内とバルコニーＢとの間に跨ぎ段差を設ける必要がなくなるので、バリアフリーの観点から、安全性の向上を図ることができる。すなわち、上階側外壁１１のサッシ窓１１ａを、跨ぎ段差なしに上階床１３の上面に設けることができるようになっている。
【００４１】
一方、前記バルコニー床３は、前記第１および第２マグサ５，６上に載置されているだけでなく、連結ボルト７によって固定されている。すなわち、前記支持柱４の上端部には、前記バルコニー床３と、前記第１マグサ５とを貫通するとともに、先端が前記バルコニー床３の上面から突出するようにして、前記連結ボルト７が設けられている。そして、この連結ボルト７の先端にはナット７ａが螺合されている。
したがって、このナット７ａを締め付けることによって、前記バルコニー床３と、前記支持柱４と、前記第１マグサ５とを強固に連結することができるようになっている。
【００４２】
なお、前記バルコニー床３と、前記第１マグサ５には、前記連結ボルト７を挿通させるための貫通孔（図示せず）が、予め形成されていることが好ましい。このように貫通孔が予め形成されていれば、前記バルコニー床３や第１マグサ５を位置合わせしながら設置できるので作業性に優れる。
【００４３】
一方、前記バルコニー床３は、バルコニーＢを構成するためのものである。すなわち、このバルコニーＢは、図２に示すように、前記バルコニー床３と、このバルコニー床３の上面の室外側縁部に沿って設けられる手摺壁３ａと、前記バルコニー床３の下面の室外側縁部に沿って設けられる垂壁３ｂと、前記バルコニー床３の上面に敷設される床材３ｃとを備えてなる。
【００４４】
また、前記垂壁３ｂの下面の高さ位置と、前記第１マグサ５の下面の高さ位置とが略等しくなるように設定されるとともに、この垂壁３ｂの下面の高さ位置と、前記サッシ窓１０ａの上面または小壁１０ｂの下面の高さ位置とが略等しくなるように設定されており、これら垂壁３ｂの下面と、第１マグサ５の下面と、前記サッシ窓１０ａの上面または小壁１０ｂの下面との高さ位置に、前記バルコニー床３の下方に位置する軒天井３ｄが設けられている。
【００４５】
さらに、このようにバルコニー床３の下方に垂壁３ｂおよび軒天井３ｄが設けられているので、これら垂壁３ｂおよび軒天井３ｄによって、前記第１および第２マグサ５，６や、前記支持柱４の上端部に第１マグサ５が載せられた状態などを遮蔽することができるので、外観性に優れる。
【００４６】
また、前記床材３ｃは、図２に示すように室外側に向かうにつれて下方に傾斜しており、バルコニー床３の上面に水勾配が形成された状態となっている。また、このように前記バルコニー床３の上面に、この床材３ｃが敷設されているので、前記連結ボルトの先端に螺合するナット７ａを遮蔽できるようになっている。なお、この床材３ｃは防水加工されている。
【００４７】
なお、本実施の形態の第１マグサ５および第２マグサ６において、上述のように、第１マグサ５のみが前記支持柱４の上端部に載せられていたり、第１マグサ５のみが前記バルコニー床３の張出方向先端の位置まで突出していたり、第１マグサ５のみに前記連結ボルト７が貫通しているとされているが、これに限るものではない。すなわち、この第１マグサ５に代わり第２マグサ６を用いてもよいし、これら第１および第２マグサ５，６どうしの交点に、互いに係合し合うサネや係合溝等を形成して、双方を重ね合わせるようにして用いてもよく、適宜変更可能である。
【００４８】
本実施の形態によれば、前記支持柱４の上端部と前記凹部１ａを形成する外壁との間に、前記第１外壁１ｂの延長線に沿って第１マグサ５が架設されるとともに、前記第２外壁１ｃの延長線に沿って第２マグサ６が架設されているので、これら第１および第２マグサ５，６は、前記支持柱４によって確実に支持されることとなる。
また、このように前記支持柱４によって支持された第１および第２マグサ５，６は、前記第１外壁１ｂの延長線と、前記第２外壁１ｃの延長線に沿って設けられているので、互いに直交する方向に沿って延在することとなる。そして、このような第１および第２マグサ５，６上に、前記バルコニー床３が載置されているので、例えば単に支持柱４だけでバルコニー床３を支持した場合に比して、前記バルコニー床３を安定的に支持することが可能となる。
そして、このように建物本体１から張り出すバルコニー床３を、前記支持柱４と、前記第１および第２マグサ５，６とによって確実かつ安定的に支持することができることから、前記バルコニー床３の設置高さを室内の床よりも低くして、室内とバルコニーとの間の段差を単純段差とすることができるので、従来とは異なり、跨ぎ段差を設ける必要がなく、バリアフリーの観点から、安全性の向上を図ることができる。
【図面の簡単な説明】
【００４９】
【図１】本発明の実施の形態に係る建物本体の上階を示す平面図である。
【図２】本発明のバルコニー床の支持構造の一例を示す側断面図である。
【図３】図１に示すバルコニー床の支持構造の主要部を示す正断面図である。
【図４】図１に示すバルコニー床の支持構造の主要部を示す平断面図である。
【符号の説明】
【００５０】
１  建物本体
１ａ  凹部
１ｂ  第１外壁
１ｃ  第２外壁
３  バルコニー床
４  支持柱
５  第１マグサ
６  第２マグサ
【図１】
0005165984.tif 000002
【図２】
0005165984.tif 000003
【図３】
0005165984.tif 000004
【図４】
0005165984.tif 000005